(57)【要約】【課題】移動通信端末の受信機能の周波数特性を評価することができる移動通信端末試験装置及び移動通信端末試験方法を提供する。【解決手段】移動通信端末試験装置１０は、所定の時間単位であるサブフレームと所定の周波数帯域単位であるリソースブロックとをそれぞれ１以上含む複数の無線リソース領域を有し、当該無線リソース領域の周波数軸方向の位置が所定時間間隔ごとに変化する試験信号をＵＥ５０に送信する送信部１２と、ＵＥ５０から試験信号に応答した応答信号を受信する受信部１４と、無線リソース領域に予め定められた時間軸方向の位置と周波数軸方向の位置との対応情報に基づいて応答信号の特性値を時間領域から周波数領域に変換する時間周波数変換部３１と、応答信号の周波数領域の特性値を表示する表示部１７段と、を備える。【選択図】図１
2015053629.tif 000002
【特許請求の範囲】
【請求項１】
所定の時間単位であるサブフレーム（ＳＦ）と所定の周波数帯域単位であるリソースブロック（ＲＢ）とをそれぞれ１以上含む複数の無線リソース領域（１〜８）を有し、当該無線リソース領域の周波数軸方向の位置が所定時間間隔（Ｔ）ごとに変化する試験信号を移動通信端末（５０）に送信する試験信号送信手段（４０）と、
前記移動通信端末から前記試験信号に応答した応答信号を受信する応答信号受信手段（１４）と、
前記無線リソース領域に予め定められた時間軸方向の位置と周波数軸方向の位置との対応情報に基づいて前記応答信号の特性値を時間領域から周波数領域に変換する特性値変換手段（３１）と、
前記応答信号の周波数領域の特性値を表示する周波数領域特性値表示手段（１７）と、
を備え、
前記試験信号送信手段は、互いに隣接する無線リソース領域が前記時間軸方向及び前記周波数軸方向の少なくともいずれか一方で連続している無線リソース領域群を有する前記試験信号を前記移動通信端末に送信するものであることを特徴とする移動通信端末試験装置。
【請求項２】
前記特性値変換手段は、前記無線リソース領域の前記時間軸方向の位置及び前記周波数軸方向の位置をそれぞれ示す予め定められた時刻と周波数との対応情報に基づいて、前記時間領域における前記応答信号の特性値に対応する時刻をこの時刻に対応する周波数に置換することにより、前記応答信号の特性値を前記時間領域から前記周波数領域に変換するものであることを特徴とする請求項１に記載の移動通信端末試験装置。
【請求項３】
前記試験信号送信手段は、時間の経過とともに、前記無線リソース領域に予め定められた基準周波数（ｆ１〜ｆ８）が順次高くなるよう設定された無線リソース領域群を有する前記試験信号を前記移動通信端末に送信するものであることを特徴とする請求項１又は請求項２に記載の移動通信端末試験装置。
【請求項４】
前記試験信号送信手段は、時間の経過とともに、前記各無線リソース領域に予め定められた基準周波数（ｆ１〜ｆ８）が順次低くなるよう設定された無線リソース領域群を有する前記試験信号を前記移動通信端末に送信するものであることを特徴とする請求項１又は請求項２に記載の移動通信端末試験装置。
【請求項５】
前記試験信号送信手段は、互いに隣接する無線リソース領域が前記時間軸方向において所定のリソースブロック数で互いに重なり合っている無線リソース領域群を有する前記試験信号を前記移動通信端末に送信するものであることを特徴とする請求項１から請求項４までのいずれか１項に記載の移動通信端末試験装置。
【請求項６】
前記試験信号送信手段は、前記無線リソース領域群が前記時間軸方向に繰り返し配置された試験信号を前記移動通信端末に送信するものであって、
前記応答信号の周波数領域の特性値について平均値を求める平均値取得手段（３２）をさらに備え、
前記周波数領域特性値表示手段は、前記平均値取得手段が求めた前記特性値の平均値を表示するものであることを特徴とする請求項１から請求項５までのいずれか１項に記載の移動通信端末試験装置。
【請求項７】
移動通信端末（５０）を試験する移動通信端末試験方法であって、
所定の時間単位であるサブフレームと所定の周波数帯域単位であるリソースブロックとをそれぞれ１以上含む複数の無線リソース領域（１〜８）を有し、当該無線リソース領域の周波数軸方向の位置が所定時間間隔（Ｔ）ごとに変化する試験信号を前記移動通信端末に送信する試験信号送信ステップ（Ｓ１２）と、
前記移動通信端末から前記試験信号に応答した応答信号を受信する応答信号受信ステップ（Ｓ１３）と、
前記無線リソース領域に予め定められた時間軸方向の位置と周波数軸方向の位置との対応情報に基づいて前記応答信号の特性値を時間領域から周波数領域に変換する特性値変換ステップ（Ｓ１５）と、
前記応答信号の周波数領域の特性値を表示する周波数領域特性値表示ステップ（Ｓ１６）と、
を含み、
前記試験信号送信ステップにおいて、互いに隣接する無線リソース領域が前記時間軸方向及び前記周波数軸方向の少なくともいずれか一方で連続している無線リソース領域群を有する前記試験信号を前記移動通信端末に送信することを特徴とする移動通信端末試験方法。
【発明の詳細な説明】
【技術分野】
【０００１】
本発明は、例えば、携帯電話やモバイル端末等の移動通信端末を試験する移動通信端末試験装置及び移動通信端末試験方法に関する。
【背景技術】
【０００２】
近年、移動通信サービスは、伝送レートの高速化が進み、音楽、映像などのマルチメディアサービスを実現している。それに伴って通信周波数の帯域幅が広帯域化されている。例えば、Ｗ−ＣＤＭＡ（Wideband-Code Division Multiple Access）に代表される第３世代移動通信システムでは、帯域幅は最大５ＭＨｚであったが、ＬＴＥ（Long Term Evolution）では最大２０ＭＨｚになり、更なる広帯域化及び高速化を目的としたＬＴＥ−Ａｄｖａｎｅｄでは最大２００ＭＨｚになっている。
【０００３】
ＬＴＥやＬＴＥ−Ａｄｖａｎｅｄにおいては、伝送路状況に応じて変調符号化率方式及びリソースブロック数が定められるようになっており、伝送路状況に応じてパケット伝送レートが変化してしまうので、試験者にパケット伝送レートを把握させる装置が提案されている（例えば、特許文献１参照）。
【先行技術文献】
【特許文献】
【０００４】
【特許文献１】特開２０１３−１２９２５号公報
【発明の概要】
【発明が解決しようとする課題】
【０００５】
ところで、前述のような広帯域の信号が用いられるようになると、それを受信する移動通信端末の受信機能の周波数特性が問題になる。そのため、移動通信端末の開発にあたり、移動通信端末の受信機能の周波数特性を評価することが重要となる。
【０００６】
ここで、移動通信端末に組み込まれる受信部の部品単体（例えば増幅器）を評価対象とするのであれば、信号発生器とスペクトラムアナライザを用いて周波数特性を評価することが可能である。しかしながら、移動通信端末の受信機能の周波数特性を評価することは困難であった。
【０００７】
本発明は、前述のような事情に鑑みてなされたものであり、移動通信端末の受信機能の周波数特性を容易に評価することができる移動通信端末試験装置及び移動通信端末試験方法を提供することを目的とする。
【課題を解決するための手段】
【０００８】
本発明の請求項１に係る移動通信端末試験装置は、所定の時間単位であるサブフレーム（ＳＦ）と所定の周波数帯域単位であるリソースブロック（ＲＢ）とをそれぞれ１以上含む複数の無線リソース領域（１〜８）を有し、当該無線リソース領域の周波数軸方向の位置が所定時間間隔（Ｔ）ごとに変化する試験信号を移動通信端末（５０）に送信する試験信号送信手段（４０）と、前記移動通信端末から前記試験信号に応答した応答信号を受信する応答信号受信手段（１４）と、前記無線リソース領域に予め定められた時間軸方向の位置と周波数軸方向の位置との対応情報に基づいて前記応答信号の特性値を時間領域から周波数領域に変換する特性値変換手段（３１）と、前記応答信号の周波数領域の特性値を表示する周波数領域特性値表示手段（１７）と、を備え、前記試験信号送信手段は、互いに隣接する無線リソース領域が前記時間軸方向及び前記周波数軸方向の少なくともいずれか一方で連続している無線リソース領域群を有する前記試験信号を前記移動通信端末に送信するものである構成を有している。
【０００９】
この構成により、本発明の請求項１に係る移動通信端末試験装置は、無線リソース領域に予め定められた時間軸方向の位置と周波数軸方向の位置との対応情報に基づいて応答信号の特性値を時間領域から周波数領域に変換する特性値変換手段と、応答信号の周波数領域の特性値を表示する周波数領域特性値表示手段と、を備えるので、移動通信端末の受信機能の周波数特性を評価することができる。
【００１０】
本発明の請求項２に係る移動通信端末試験装置は、前記特性値変換手段は、前記無線リソース領域の前記時間軸方向の位置及び前記周波数軸方向の位置をそれぞれ示す予め定められた時刻と周波数との対応情報に基づいて、前記時間領域における前記応答信号の特性値に対応する時刻をこの時刻に対応する周波数に置換することにより、前記応答信号の特性値を前記時間領域から前記周波数領域に変換するものである構成を有している。
【００１１】
この構成により、本発明の請求項２に係る移動通信端末試験装置は、時間領域における応答信号の特性値に対応する時刻をこの時刻に対応する周波数に置換することにより、応答信号の特性値を時間領域から周波数領域に変換することができる。
【００１２】
本発明の請求項３に係る移動通信端末試験装置は、前記試験信号送信手段は、時間の経過とともに、前記無線リソース領域に予め定められた基準周波数（ｆ１〜ｆ８）が順次高くなるよう設定された無線リソース領域群を有する前記試験信号を前記移動通信端末に送信するものである構成を有している。
【００１３】
この構成により、本発明の請求項３に係る移動通信端末試験装置は、低い周波数から高い周波数に向かう方向において、移動通信端末の受信機能の周波数特性を評価することができる。
【００１４】
本発明の請求項４に係る移動通信端末試験装置は、前記試験信号送信手段は、時間の経過とともに、前記各無線リソース領域に予め定められた基準周波数（ｆ１〜ｆ８）が順次低くなるよう設定された無線リソース領域群を有する前記試験信号を前記移動通信端末に送信するものである構成を有している。
【００１５】
この構成により、本発明の請求項４に係る移動通信端末試験装置は、高い周波数から低い周波数に向かう方向において、移動通信端末の受信機能の周波数特性を評価することができる。
【００１６】
本発明の請求項５に係る移動通信端末試験装置は、前記試験信号送信手段は、互いに隣接する無線リソース領域が前記時間軸方向において所定のリソースブロック数で互いに重なり合っている無線リソース領域群を有する前記試験信号を前記移動通信端末に送信するものである構成を有している。
【００１７】
この構成により、本発明の請求項５に係る移動通信端末試験装置は、各周波数における応答信号の特性値の測定ばらつきを相対的に小さくすることができる。
【００１８】
本発明の請求項６に係る移動通信端末試験装置は、前記試験信号送信手段は、前記無線リソース領域群が前記時間軸方向に繰り返し配置された試験信号を前記移動通信端末に送信するものであって、前記応答信号の周波数領域の特性値について平均値を求める平均値取得手段（３２）をさらに備え、前記周波数領域特性値表示手段は、前記平均値取得手段が求めた前記特性値の平均値を表示するものである構成を有している。
【００１９】
この構成により、本発明の請求項６に係る移動通信端末試験装置は、各周波数での特性ばらつきを比較的小さくすることができる。
【００２０】
本発明の請求項７に係る移動通信端末試験方法は、移動通信端末（５０）を試験する移動通信端末試験方法であって、所定の時間単位であるサブフレームと所定の周波数帯域単位であるリソースブロックとをそれぞれ１以上含む複数の無線リソース領域（１〜８）を有し、当該無線リソース領域の周波数軸方向の位置が所定時間間隔（Ｔ）ごとに変化する試験信号を前記移動通信端末に送信する試験信号送信ステップ（Ｓ１２）と、前記移動通信端末から前記試験信号に応答した応答信号を受信する応答信号受信ステップ（Ｓ１３）と、前記無線リソース領域に予め定められた時間軸方向の位置と周波数軸方向の位置との対応情報に基づいて前記応答信号の特性値を時間領域から周波数領域に変換する特性値変換ステップ（Ｓ１５）と、前記応答信号の周波数領域の特性値を表示する周波数領域特性値表示ステップ（Ｓ１６）と、を含み、前記試験信号送信ステップにおいて、互いに隣接する無線リソース領域が前記時間軸方向及び前記周波数軸方向の少なくともいずれか一方で連続している無線リソース領域群を有する前記試験信号を前記移動通信端末に送信する構成を有している。
【００２１】
この構成により、本発明の請求項７に係る移動通信端末試験方法は、無線リソース領域に予め定められた時間軸方向の位置と周波数軸方向の位置との対応情報に基づいて応答信号の特性値を時間領域から周波数領域に変換する特性値変換ステップと、応答信号の周波数領域の特性値を表示する周波数領域特性値表示ステップと、を含むので、移動通信端末の受信機能の周波数特性を評価することができる。
【発明の効果】
【００２２】
本発明は、移動通信端末の受信機能の周波数特性を容易に評価することができるという効果を有する移動通信端末試験装置及び移動通信端末試験方法を提供することができるものである。
【図面の簡単な説明】
【００２３】
【図１】本発明に係る移動通信端末試験装置の一実施形態におけるブロック構成図である。
【図２】本発明に係る移動通信端末試験装置の一実施形態において、試験信号の送信に用いられる無線リソース領域群の説明図である。
【図３】本発明に係る移動通信端末試験装置の一実施形態における時間周波数対応情報の説明図である。
【図４】本発明に係る移動通信端末試験装置の一実施形態において、時間領域から周波数領域への変換処理についての概念的な説明図である。
【図５】本発明に係る移動通信端末試験装置の一実施形態におけるフローチャートである。
【図６】本発明に係る移動通信端末試験装置の一実施形態において、試験信号の送信に用いられる無線リソース領域群の第１の変形例の説明図である。
【図７】本発明に係る移動通信端末試験装置の一実施形態において、試験信号の送信に用いられる無線リソース領域群の第２の変形例の説明図である。
【図８】本発明に係る移動通信端末試験装置の一実施形態において、試験信号の送信に用いられる無線リソース領域群の第３の変形例の説明図である。
【図９】本発明に係る移動通信端末試験装置の一実施形態において、試験信号の送信に用いられる無線リソース領域群の第４の変形例の説明図である。
【図１０】本発明に係る移動通信端末試験装置の一実施形態において、試験信号の送信に用いられる無線リソース領域群の第５の変形例の説明図である。
【発明を実施するための形態】
【００２４】
以下、本発明の実施形態について図面を用いて説明する。なお、本発明に係る移動通信端末試験装置を、ＬＴＥ通信規格に基づいて通信する移動通信端末を試験するものに適用した例を挙げて説明する。
【００２５】
まず、本発明に係る移動通信端末試験装置の一実施形態における構成について説明する。
【００２６】
図１に示すように、本実施形態における移動通信端末試験装置１０は、制御部２０、解析部３０、試験信号送信部４０、サーキュレータ１３、受信部１４、復号部１５、表示制御部１６、表示部１７、操作部１８を備えている。この移動通信端末試験装置１０は、ＵＥ（移動通信端末）５０を試験するものである。
【００２７】
制御部２０は、無線リソース領域を割り当てる無線リソース領域割当部２１と、無線リソース領域の時間軸方向の位置と周波数軸方向の位置との対応関係を示す時間周波数対応情報を管理する時間周波数対応管理部２２と、を備えている。また、制御部２０は、例えばＣＰＵ、ＲＯＭ、ＲＡＭ等を備え、ＲＯＭに予め記憶されたプログラムに従って装置全体の動作を制御するようになっている。
【００２８】
無線リソース領域割当部２１は、時間周波数対応管理部２２が管理する時間周波数対応情報に基づいて、ＵＥ５０と通信するための無線リソース領域を割り当てるようになっている。すなわち、ＢＢ信号出力部１１が、試験信号のベースバンドの波形データを予め生成して記憶する場合は、この波形データの生成の際に、時間周波数対応管理部２２が記憶する時間周波数対応情報に従って無線リソース領域の割り当てがされた波形データを生成するようにＢＢ信号出力部１１を制御し、試験信号を出力する際に、この時間周波数対応情報に対応する波形データを選択して出力するようにＢＢ信号出力部１１を制御する。また、ＢＢ信号出力部１１が実際の基地局と同様に、与えられた試験データに各送信レイヤ処理を行ってベースバンド信号を生成して出力する構成の場合は、この処理の際に、時間周波数対応管理部２２が記憶する時間周波数対応情報に従って無線リソース領域の割り当てを行うようにＢＢ信号出力部１１を制御する。
【００２９】
時間周波数対応管理部２２は、無線リソース領域の時間軸方向の位置と周波数軸方向の位置との対応関係を示す時間周波数対応情報を予め記憶して管理するようになっている。この時間周波数対応情報は、試験者が操作部１８を操作することによって、任意に設定されるようになっている。
【００３０】
試験信号送信部４０は、ＢＢ信号出力部１１、送信部１２を備えている。この試験信号送信部４０は、本発明に係る試験信号送信手段を構成する。
【００３１】
ＢＢ信号出力部１１は、試験信号のベースバンドの波形データを予め生成して記憶するようになっている。また、ＢＢ信号出力部１１は、制御部２０からの制御信号に従って、制御部２０が指定した試験信号のベースバンドの波形データを送信部１２に出力するようになっている。なお、ＢＢ信号出力部１１は、実際の基地局と同様に、与えられた試験データに各送信レイヤ処理を行ってベースバンド信号を生成して送信部１２に出力する構成であってもよい。
【００３２】
送信部１２は、ＢＢ信号出力部１１が出力したベースバンド信号を、Ｄ／Ａ変換、直交変調、周波数変換し、試験信号としてＵＥ５０に送信するようになっている。
【００３３】
ここで、送信部１２が送信する試験信号に含まれる無線リソース領域について図２に基づき説明する。
【００３４】
図２に示すように、送信部１２が送信する試験信号は、８つの無線リソース領域１〜８を含む少なくとも１つの無線リソース領域群を有するものである。無線リソース領域１〜８は、それぞれ、１以上の整数ｎ個のサブフレーム（ＳＦ）と、１以上の整数ｍ個のリソースブロック（ＲＢ）とで構成されている。ＬＴＥ通信規格では、１サブフレームは１ｍｓｅｃであり、１リソースブロックは１８０ｋＨｚである。ここで、図２では、無線リソース領域の数を８つとしているが、これはあくまでも例である。無線リソース領域の数は２以上ならいくつでもよい。
【００３５】
本実施形態では、無線リソース領域１の時間的な先頭位置を時刻ｔ０で表すとともに、無線リソース領域１〜８について、それぞれの時間軸方向の位置を各中心時刻ｔ１〜ｔ８で表し、それぞれの周波数軸方向の位置を各中心周波数ｆ１〜ｆ８で表している。この各中心周波数ｆ１〜ｆ８は、本発明に係る基準周波数に対応しており、時間の経過とともに順次周波数が高くなっている。また、各中心時刻ｔ１〜ｔ８の時間間隔をＴ、各中心周波数ｆ１〜ｆ８の周波数間隔をＦで表している。なお、無線リソース領域１〜８について、各時間軸方向の位置は中心時刻に限定されず、また、各周波数軸方向の位置は中心周波数に限定されない。例えば、中心時刻に代えて、時刻ｔ０を基準とした時間で表してもよい。
【００３６】
図２に示すように、時間軸方向においては、例えば、無線リソース領域１の最後尾位置は無線リソース領域２の先頭位置と一致し、無線リソース領域２の最後尾位置は無線リソース領域３の先頭位置と一致している。一方、周波数軸方向においても、例えば、無線リソース領域１の最後尾位置は無線リソース領域２の先頭位置と一致し、無線リソース領域２の最後尾位置は無線リソース領域３の先頭位置と一致している。
【００３７】
すなわち、送信部１２は、互いに隣接する無線リソース領域が時間軸方向及び周波数軸方向において連続している無線リソース領域群を有する試験信号を送信するようになっている。換言すれば、送信部１２は、１つの無線リソース領域の周波数軸方向の位置を所定時間間隔Ｔごとに周波数間隔Ｆだけずらした無線リソース領域群を有する試験信号を送信するものである。
【００３８】
次に、時間周波数対応管理部２２が管理する時間周波数対応情報について図３に基づき説明する。
【００３９】
図３に示すように、時間周波数対応管理部２２は、無線リソース領域１〜８について、時間軸方向の位置と周波数軸方向の位置との対応関係を示すテーブルを記憶している。図示の例では、無線リソース領域１〜８について、それぞれの中心時刻であるｔ１〜ｔ８と、それぞれの中心周波数ｆ１〜ｆ８とが関連付けられている。このテーブルの各値は、試験者が操作部１８を操作することによって、任意に設定されるようになっている。なお、試験信号が複数種類ある場合は、時間周波数対応管理部２２は、時間周波数対応情報を試験信号ごとに管理する構成を有する。
【００４０】
なお、移動通信端末試験装置１０は、ＢＢ信号出力部１１からベースバンド信号を出力し、送信部１２で周波数変換を行って試験信号を出力する構成となっている。このため、時間周波数対応情報に従って、制御部２０がＢＢ信号出力部１１を制御する際は、周波数変換による周波数差が考慮される。すなわち、時間周波数対応管理部２２が、ベースバンドにおける周波数情報を、図３に示す時間周波数対応情報にさらに対応付けて記憶しておく。あるいは、無線リソース領域割当部２１が、上述の周波数差を考慮してＢＢ信号出力部１１を制御する。
【００４１】
サーキュレータ１３は、同軸ケーブルを介してＵＥ５０に接続されている。試験データの送信時においては、サーキュレータ１３は、試験信号を含むＲＦ信号を送信部１２から入力し、ＵＥ５０に送信するようになっている。また、サーキュレータ１３は、試験信号に応答した応答信号を含むＲＦ信号をＵＥ５０から入力し、受信部１４に出力するようになっている。応答信号は、ＵＥ５０の受信機能の特性値を含んでいる。例えば、ＵＥ５０の受信機能の特性値として、応答信号は、受信レベル、受信品質、スループット等の特性を含む。
【００４２】
受信部１４は、ＵＥ５０から受信したＲＦ信号を復調し、ＵＥ５０の応答信号を含むベースバンド信号を復号部１５に出力するようになっている。この受信部１４は、本発明に係る応答信号受信手段を構成する。
【００４３】
復号部１５は、受信部１４からＵＥ５０の応答信号を含むベースバンド信号を入力して復号し、制御部２０及び解析部３０に出力するようになっている。
【００４４】
解析部３０は、応答信号の特性値を時間領域から周波数領域に変換する時間周波数変換部３１と、特性値を平均化する特性値平均化部３２を備え、応答信号が含む受信レベル、受信品質、スループット等の特性を取得するようになっている。なお、時間周波数変換部３１は、本発明に係る特性値変換手段を構成し、特性値平均化部３２は、本発明に係る平均値取得手段を構成する。
【００４５】
具体的には、解析部３０は、受信レベルの特性値を対象とする場合は、応答信号に含まれるＲＳＲＰ（Reference Signal Received Power：基準信号受信電力）の周波数特性を取得するようになっている。また、解析部３０は、受信品質の特性値を対象とする場合は、応答信号に含まれるＲＳＲＱ（Reference Signal Received Quality：基準信号受信品質）の周波数特性を取得するようになっている。なお、ＲＳＲＰ又はＲＳＲＱを取得する場合は、無線リソース領域１〜８の各時間幅が、例えば１２フレーム（＝１２０サブフレーム）であるときは、ＵＥ５０は、１２フレームごとに応答信号を移動通信端末試験装置１０に返す。
【００４６】
さらに、解析部３０は、スループットの特性値を対象とする場合は、応答信号に含まれるＡＣＫ（ACKnowledgement）信号及びＮＡＣＫ（Negative ACKnowledgement）信号をカウントし、そのカウント数に基づいて算出したスループットの周波数特性を取得するようになっている。なお、ＡＣＫ信号は、ＵＥ５０への送信信号に対してＵＥ５０が受信に成功した場合に送信する受信成功を示す信号であり、ＮＡＣＫ信号は、ＵＥ５０への送信信号に対してＵＥ５０が受信に失敗した場合に送信する受信不成功を示す信号である。なお、ＡＣＫ信号及びＮＡＣＫ信号を取得する場合は、ＵＥ５０は、例えば１サブフレームごとに応答信号を移動通信端末試験装置１０に返す。
【００４７】
時間周波数変換部３１は、時間周波数対応管理部２２から時間周波数対応情報を入力し、この時間周波数対応情報に基づいて、応答信号の特性値を時間領域から周波数領域に変換するようになっている。
【００４８】
特性値平均化部３２は、時間周波数変換部３１が時間領域から周波数領域に変換した特性値を、必要に応じて平均化するようになっている。
【００４９】
ここで、時間周波数変換部３１が行う時間領域から周波数領域への変換処理について図４に示した概念図に基づき説明する。
【００５０】
図４（ａ）は、時間周波数変換部３１が復号部１５から入力したＵＥ５０の応答信号の一例を示している。横軸は時間軸であり、縦軸は特性値を表す。時間軸に示した時刻ｔ１〜ｔ８は、図２に示したように、無線リソース領域１〜８の時間軸方向の位置を示している。時刻ｔ１〜ｔ８に対応して、特性値１ａ〜８ａが得られている。例えば、特性値１ａは無線リソース領域１の特性値を示し、特性値２ａは無線リソース領域２の特性値を示す。特性値１ａ〜８ａにより、時間領域での特性値のグラフ５１が得られる。なお、特性値を基準信号受信電力とした場合、例えば特性値１ａは、無線リソース領域１内の所定の基準信号受信電力であってもよいし、無線リソース領域１全体の基準信号受信電力を平均化したものであってもよい。
【００５１】
時間周波数変換部３１は、時間周波数対応管理部２２から時間周波数対応情報（図３参照）を入力することにより、時刻ｔ１〜ｔ８がそれぞれ周波数ｆ１〜ｆ８に対応することがわかる。したがって、時間周波数変換部３１は、図４（ａ）に示した時刻ｔ１〜ｔ８を周波数ｆ１〜ｆ８にそれぞれ置換することにより、解析部３０は、図４（ｂ）に示す周波数領域での特性値１ｂ〜８ｂを得る。この特性値１ｂ〜８ｂは、周波数領域でのグラフ５２を構成し、ＵＥ５０の受信機能の周波数特性を表している。
【００５２】
表示制御部１６は、周波数領域でのグラフ５２を表示部１７の画面に表示させる表示制御を行うようになっている。
【００５３】
表示部１７は、表示制御部１６の表示制御に従って、周波数領域でのグラフ５２を画面に表示するようになっている。この表示部１７は、本発明に係る周波数領域特性値表示手段を構成する。
【００５４】
操作部１８は、試験者が操作するものであり、例えば、無線リソース領域に含まれるサブフレーム数及びリソースブロック数、試験対象とする周波数帯域幅、時間周波数対応情報等に関する設定を行うためのディスプレイ、キーボード、ダイヤル又はマウスのような入力デバイス、これらを制御する制御回路等で構成される。
【００５５】
次に、本実施形態における移動通信端末試験装置１０の動作について図５に示すフローチャートを用いて説明する。
【００５６】
ＢＢ信号出力部１１は、制御部２０からの制御信号に従って、制御部２０が指定した、無線リソース領域の割り当てがされたベースバンドの試験信号を送信部１２に出力する（ステップＳ１１）。
【００５７】
送信部１２は、ＢＢ信号出力部１１が出力したベースバンド信号を、Ｄ／Ａ変換、直交変調、周波数変換し、試験信号としてＵＥ５０に送信する（ステップＳ１２）。
【００５８】
受信部１４は、無線リソース領域１〜８を有する各試験信号に対するＵＥ５０の各応答信号をサーキュレータ１３経由でＵＥ５０から受信する（ステップＳ１３）。受信信号は、受信部１４によってベースバンドの信号に変換され、復号部１５によって復号化される。
【００５９】
解析部３０は、復号部１５の出力信号を入力し、時間領域の特性値１ａ〜８ａ（図４（ａ）参照）を取得する（ステップＳ１４）。
【００６０】
時間周波数変換部３１は、時間周波数対応管理部２２から時間周波数対応情報を入力し、この時間周波数対応情報に基づいて、図４（ａ）に示した時刻ｔ１〜ｔ８を周波数ｆ１〜ｆ８にそれぞれ置換することにより、応答信号の特性値を時間領域から周波数領域に変換する（ステップＳ１５）。その結果、解析部３０は、受信部１４の周波数特性を示す特性値１ｂ〜８ｂ（図４（ｂ）参照）を得る。なお、必要に応じて、特性値平均化部３２は、周波数領域に変換された特性値を平均化する。
【００６１】
表示制御部１６は、解析部３０が取得した特性値１ｂ〜８ｂを表示部１７の画面に表示させる表示制御を行い、表示部１７は、特性値１ｂ〜８ｂと周波数との対応を示すグラフ５２を表示する（ステップＳ１６）。
【００６２】
以上のように、本実施形態における移動通信端末試験装置１０は、無線リソース領域１〜８に予め定められた中心時刻と中心周波数との対応情報に基づいて応答信号の特性値を時間領域から周波数領域に変換する時間周波数変換部３１と、応答信号の周波数領域の特性値を表示する表示部１７と、を備える構成としたので、ＵＥ５０の受信機能の周波数特性を評価することができる。
【００６３】
なお、前述の実施形態では、ＬＴＥ通信規格を例に挙げて説明したが、本発明はこれに限定されず、所定の時間単位であるサブフレームと所定の周波数帯域単位であるリソースブロックとをそれぞれ１以上含む無線リソース領域を有する試験信号を送信することができる通信方式、例えばＬＴＥ−Ａｄｖａｎｅｄ通信規格であっても前述と同様の効果が得られる。
【００６４】
（無線リソース領域群の変形例）
次に、送信部１２が試験信号を送信する際に用いる無線リソース領域群の変形例について、図６〜図１０に基づき説明する。
【００６５】
無線リソース領域群の第１の変形例は、図６に示すように、互いに隣接する無線リソース領域が、時間軸方向において連続し、周波数軸方向において所定のリソースブロック数で互いに重なり合って連続した状態になっている。すなわち、図６に示した無線リソース領域１〜８の各周波数帯域幅は、図２に示したものよりも広くなっている。この無線リソース領域群を有する試験信号を送信した場合は、応答信号の周波数分解能は相対的に悪くなるが、各周波数における応答信号の特性値の測定ばらつきが相対的に小さくなる。したがって、周波数分解能及び測定ばらつきのどちらに重点をおくかを考慮して無線リソース領域の各周波数帯域幅を設定するのが好ましい。
【００６６】
無線リソース領域群の第２の変形例は、図７に示すように、無線リソース領域１〜８を含む無線リソース領域群が時間軸方向で繰り返されるものである。この無線リソース領域群を有する試験信号を送信した場合は、特性値平均化部３２が周波数ごとに特性値を平均化することにより、解析部３０が周波数ごとに平均化した特性値を取得することができ、各周波数での特性ばらつきを比較的小さくすることができる。具体的には、ｔ１１の無線リソース領域に対する特性値と、ｔ２１の無線リソース領域に対する特性値とを平均化して、ｆ１の特性値を取得する。同様に、ｔ１２とｔ２２、ｔ１３とｔ２３、・・・で平均化を行う。
【００６７】
無線リソース領域群の第３の変形例は、図８に示すように、時間経過とともに、無線リソース領域１〜８の各中心周波数ｆ１〜ｆ８が順次低くなるよう設定された無線リソース領域群である。この無線リソース領域群を有する試験信号を送信した場合も、前述の実施形態（図２参照）と同様の効果が得られる。
【００６８】
無線リソース領域群の第４の変形例は、図９に示すように、互いに隣接する無線リソース領域が、時間軸方向で連続し、周波数軸方向では連続せず所定のリソースブロック数で離隔している無線リソース領域群である。この無線リソース領域群を有する試験信号を送信した場合も、前述の実施形態（図２参照）と同様の効果が得られる。
【００６９】
無線リソース領域群の第５の変形例は、図１０に示すように、互いに隣接する無線リソース領域が、周波数軸方向で連続し、時間軸方向では連続せず所定のサブフレーム数で離隔している無線リソース領域群である。この無線リソース領域群を有する試験信号を送信した場合も、前述の実施形態（図２参照）と同様の効果が得られる。
【００７０】
なお、これらの変形例は、必要に応じて組み合わせてもよい。
【産業上の利用可能性】
【００７１】
以上のように、本発明に係る移動通信端末試験装置及び移動通信端末試験方法は、移動通信端末の受信機能の周波数特性を評価することができるという効果を有し、携帯電話やモバイル端末等の移動通信端末を試験する移動通信端末試験装置及び移動通信端末試験方法として有用である。
【符号の説明】
【００７２】
１〜８  無線リソース領域
１０  移動通信端末試験装置
１１  ＢＢ信号出力部
１２  送信部（試験信号送信手段）
１３  サーキュレータ
１４  受信部（応答信号受信手段）
１５  復号部
１６  表示制御部
１７  表示部（周波数領域特性値表示手段）
１８  操作部
２０  制御部
２１  無線リソース領域割当部
２２  時間周波数対応管理部
３０  解析部
３１  時間周波数変換部（特性値変換手段）
３２  特性値平均化部（平均値取得手段）
４０  試験信号送信部（試験信号送信手段）
５０  ＵＥ（移動通信端末）
【図１】
2015053629.tif 000003
【図２】
2015053629.tif 000004
【図３】
2015053629.tif 000005
【図４】
2015053629.tif 000006
【図５】
2015053629.tif 000007
【図６】
2015053629.tif 000008
【図７】
2015053629.tif 000009
【図８】
2015053629.tif 000010
【図９】
2015053629.tif 000011
【図１０】
2015053629.tif 000012